(57)【要約】【課題】適切な管理状態で、紙幣の精査処理を実行する紙幣処理装置を提供する。【解決手段】紙幣処理装置は、紙幣が入金される入金部と、入金部から入金された紙幣を収納する紙幣収納部と、入金部と紙幣収納部とを接続する第１の搬送部と、第１の搬送部に設けられ、搬送される紙幣を識別する識別部と、少なくとも紙幣を一時的に保留するために使用される第１の一時保留部と、紙幣収納部と第１の一時保留部とを結ぶ第２の搬送部と、第２の搬送部に設けられ、搬送される紙幣の少なくとも枚数を検知する検知部と、紙幣収納部、第１の一時保留部、第２の搬送部、および検知部を、入金部および識別部と隔離するように収容する収容部と、収容部内において、紙幣収納部に収納された紙幣を、第２の搬送部に搬送させて検知部で検知させ、一旦第１の一時保留部に保留した後、再度紙幣収納部に収納する第１の精査処理を実行する制御部と、を有する。【選択図】図２
2018156121.tif 000002
【特許請求の範囲】
【請求項１】
紙幣が入金される入金部と、
前記入金部から入金された紙幣を収納する紙幣収納部と、
前記入金部と前記紙幣収納部とを接続する第１の搬送部と、
前記第１の搬送部に設けられ、搬送される紙幣を識別する識別部と、
少なくとも紙幣を一時的に保留するために使用される第１の一時保留部と、
前記紙幣収納部と前記第１の一時保留部とを結ぶ第２の搬送部と、
前記第２の搬送部に設けられ、搬送される紙幣の少なくとも枚数を検知する検知部と、
前記紙幣収納部、前記第１の一時保留部、前記第２の搬送部、および前記検知部を、前記入金部および前記識別部と隔離するように収容する収容部と、
前記収容部内において、前記紙幣収納部に収納された紙幣を、前記第２の搬送部に搬送させて前記検知部で検知させ、一旦前記第１の一時保留部に保留した後、再度前記紙幣収納部に収納する第１の精査処理を実行する制御部と、
を有する紙幣処理装置。
【請求項２】
前記収容部は、施錠部を有する金庫である、
請求項１に記載の紙幣処理装置。
【請求項３】
前記制御部は、前記紙幣収納部に収納されている紙幣を、前記第１の搬送部に搬送させて前記識別部で識別させ、再度前記紙幣収納部に収納する第２の精査処理を実行する、
請求項１または２に記載の紙幣処理装置。
【請求項４】
前記収容部の外部に、少なくとも紙幣を一時的に保留するために使用される第２の一時保留部がさらに設けられ、
前記第２の精査処理は、前記識別部で識別させた紙幣を、一旦前記第２の一時保留部に保留した後、再度前記紙幣収納部に収納する、
請求項３に記載の紙幣処理装置。
【請求項５】
前記制御部は、前記第１の精査処理の結果が所定条件を満たした場合、前記第２の精査処理を実行する、
請求項３乃至４のいずれか一項に記載の紙幣処理装置。
【請求項６】
前記制御部は、前記第１の精査処理または前記第２の精査処理を選択できる、
請求項３乃至５のいずれか一項に記載の紙幣処理装置。
【請求項７】
前記制御部は、前記第１の精査処理でリジェクト紙幣と判定された紙幣を、前記収容部内に収容されているリジェクト紙幣収納部に収納させる、
請求項１乃至６のいずれか一項に記載の紙幣処理装置。
【請求項８】
前記金庫は、前記第１の一時保留部を複数収容し、
前記制御部は、前記第１の一時保留部の１つが前記紙幣で一杯になった場合、他の前記第１の一時保留部に紙幣を保留させる、
請求項１乃至７のいずれか一項に記載の紙幣処理装置。
【発明の詳細な説明】
【技術分野】
【０００１】
本発明は、紙幣処理装置に関する。
【背景技術】
【０００２】
従来、上部の処理部と、下部の金庫部とに大別され、紙幣の精査処理を実行する紙幣処理装置がある。この紙幣処理装置は、下部の金庫部内に収納されている紙幣を、金庫部外の上部の処理部に搬送し、上部の処理部にて紙幣の精査処理を行う（例えば、特許文献１参照）。
【先行技術文献】
【特許文献】
【０００３】
【特許文献１】特許第６０４２９５０号公報
【発明の概要】
【発明が解決しようとする課題】
【０００４】
一般的に、紙幣の管理権限は、上部の処理部と下部の金庫部とで分けられる。例えば、上部の処理部で処理される入金確定前の紙幣は、店舗等の所有であり、金庫に収納された入金確定後の紙幣は、例えば、紙幣回収業者の所有であるため、前述のように紙幣の管理権限が分けられる。
【０００５】
しかしながら、従来の紙幣処理装置では、精査処理の際、下部の金庫部に収納されている紙幣が、管理権限の異なる上部の処理部へ搬送される。そのため、従来の紙幣処理装置では、一時的とは言え、紙幣の管理上、好ましくない状態が発生するという問題がある。
【０００６】
そこで本発明は、適切な管理状態で、紙幣の精査処理を実行する技術を提供することを目的とする。
【課題を解決するための手段】
【０００７】
本発明の紙幣処理装置は、紙幣が入金される入金部と、前記入金部から入金された紙幣を収納する紙幣収納部と、前記入金部と前記紙幣収納部とを接続する第１の搬送部と、前記第１の搬送部に設けられ、搬送される紙幣を識別する識別部と、少なくとも紙幣を一時的に保留するために使用される第１の一時保留部と、前記紙幣収納部と前記第１の一時保留部とを結ぶ第２の搬送部と、前記第２の搬送部に設けられ、搬送される紙幣の少なくとも枚数を検知する検知部と、前記紙幣収納部、前記第１の一時保留部、前記第２の搬送部、および前記検知部を、前記入金部および前記識別部と隔離するように収容する収容部と、前記収容部内において、前記紙幣収納部に収納された紙幣を、前記第２の搬送部に搬送させて前記検知部で検知させ、一旦前記第１の一時保留部に保留した後、再度前記紙幣収納部に収納する第１の精査処理を実行する制御部と、を有する。
【発明の効果】
【０００８】
本発明によれば、適切な管理状態で、紙幣の精査処理を実行できる。
【図面の簡単な説明】
【０００９】
【図１】第１の実施の形態に係る紙幣処理装置の斜視図である。
【図２】図１の紙幣処理装置を＋ｙ軸方向から見た概略断面図である。
【図３】＋ｙ軸方向から見た搬送モジュールの概略断面図である。
【図４】制御部の精査処理の一次搬送を説明する図である。
【図５】制御部の精査処理の二次搬送を説明する図である。
【図６】紙幣処理装置を＋ｙ軸方向から見た別の概略断面図である。
【図７】第２の実施の形態に係る紙幣処理装置の詳細精査処理の一次搬送を説明する図である。
【図８】詳細精査処理の二次搬送を説明する図である。
【図９】制御部の精査処理動作例を示したフローチャートである。
【図１０】第３の実施の形態に係る紙幣処理装置を＋ｙ軸方向から見た概略断面図である。
【発明を実施するための形態】
【００１０】
以下、本発明の実施の形態を、図面を参照して説明する。
【００１１】
［第１の実施の形態］
図１は、第１の実施の形態に係る紙幣処理装置１の斜視図である。図１に示す紙幣処理装置１は、例えば、銀行やスーパーマーケット等、大量に現金が取り扱われる分野において用いられる。例えば、紙幣処理装置１は、銀行窓口の出納業務や、スーパーマーケットの売上金業務等において、現金の入金や出金、計数、保管管理等に用いられる。以下では、紙幣処理装置１に対し、図１に示すｘ、ｙ、ｚ軸の直交座標系を設定する。
【００１２】
図１に示すように、紙幣処理装置１は、上部ユニット２ａと、下部ユニット２ｂと、に分けられる。
【００１３】
上部ユニット２ａは、入金部３と、出金部４ａ，４ｂと、上カバー５と、施錠部６と、を有している。入金部３は、紙幣処理装置１に入金する紙幣を投入する投入口である。出金部４ａ，４ｂは、紙幣処理装置１から出金された紙幣を取出す取出口である。また、出金部４ａ，４ｂは、リジェクト紙幣や識別できなかった紙幣等を取出す取出口である。
【００１４】
上カバー５は、上部ユニット２ａの少なくとも前面を覆うカバーである。上カバー５は、施錠部６によって、上部ユニット２ａ本体に施錠され、固定されている。上カバー５は、施錠部６による施錠が解除されると、以下で説明する上部ユニット２ａ内部の各種装置（例えば、図２に示す入金部３、出金部４ａ，４ｂ、制御部１１、搬送部１２、または識別部１３を参照）と共に、上部ユニット２ａ本体から前方へ引き出せるようになっている。
【００１５】
施錠部６は、上カバー５の前面に設けられている。施錠部６は、例えば、電子錠であり、上部ユニット２ａ内部のアクセスを制限する。例えば、施錠部６は、予め設定された暗証番号が入力されないと、上部ユニット２ａ内部の各種装置を上部ユニット２ａ本体から引き出せないようにしている。
【００１６】
これにより、施錠部６の暗証番号を知っている特定の権限を持ったユーザは、上部ユニット２ａ内部にアクセスできる。例えば、特定の権限を持ったユーザは、上部ユニット２ａ内部の各種装置にアクセスできる。
【００１７】
下部ユニット２ｂは、開閉扉７ａと、施錠部７ｂと、を有している。開閉扉７ａは、下部ユニット２ｂ内部にアクセスするための扉である。
【００１８】
開閉扉７ａの前面には、施錠部７ｂが設けられている。施錠部７ｂは、例えば、電子錠であり、下部ユニット２ｂ内部へのアクセスを制限する。例えば、開閉扉７ａは、施錠部７ｂに予め設定された暗証番号が入力されないと、開けることができないようになっている。
【００１９】
これにより、施錠部７ｂの暗証番号を知っている特定の権限を持ったユーザは、下部ユニット２ｂ内部にアクセスできる。例えば、特定の権限を持ったユーザは、以下で説明する下部ユニット２ｂ内部（例えば、図２に示す紙幣収納部１７ａ〜１７ｈ等）にアクセスできる。
【００２０】
なお、上記で説明した施錠部６，７ｂは、電子錠に限られない。施錠部６，７ｂは、例えば、シリンダー錠等であってもよい。
【００２１】
図２は、図１の紙幣処理装置１を＋ｙ軸方向から見た概略断面図である。図２において、図１と同じものには同じ符号が付してある。図２では、図１の紙幣処理装置１の形状等を簡略化して図示している。
【００２２】
図２に示すように、紙幣処理装置１の上部ユニット２ａは、制御部１１と、搬送部１２と、識別部１３と、一時保留部１４と、を有している。
【００２３】
制御部１１は、紙幣処理装置１全体を制御する。例えば、制御部１１は、入金部３に入金された紙幣の入金処理を行う。具体的には、制御部１１は、搬送部１２を制御し、入金部３に入金された紙幣を識別部１３に搬送する。制御部１１は、識別部１３を制御し、紙幣の真贋、正損、または金種等を識別させる。制御部１１は、識別部１３の識別結果に基づいて、正常紙幣等を一時保留部１４に一時保留し、リジェクト紙幣を出金部４ａ，４ｂに搬送する。そして、制御部１１は、例えば、ユーザによって、入金確定操作等が行われると、一時保留部１４に一時保留した紙幣を、紙幣収納部１７ａ〜１７ｈに搬送する。
【００２４】
また、制御部１１は、例えば、紙幣収納部１７ａ〜１７ｈに収納されている紙幣の出金処理を行う。具体的には、制御部１１は、ユーザからの出金要求に応じた紙幣を、紙幣収納部１７ａ〜１７ｈから繰出す。制御部１１は、搬送モジュール１６および搬送部１２を制御し、繰出した紙幣を出金部４ａ，４ｂに搬送する。
【００２５】
また、制御部１１は、後述するように、紙幣収納部１７ａ〜１７ｈに収納されている紙幣の精査処理を実行する。制御部１１は、例えば、ＣＰＵ（Central Processing Unit）と、プログラムおよび所定のデータを記憶するメモリ等とを備えた装置によって、上記の機能を実現する。
【００２６】
搬送部１２は、ループ状の搬送路を有している。搬送部１２は、入金部３、出金部４ａ，４ｂ、一時保留部１４、および搬送モジュール１６と接続されている。搬送部１２は、制御部１１の指示に応じて、紙幣を各部へ搬送する。
【００２７】
識別部１３は、搬送部１２上に設けられている。識別部１３は、画像センサ、赤外線センサ、紫外線センサ、または磁気センサ等を備え、搬送部１２を搬送する紙幣の真贋、正損、または金種等を識別する。
【００２８】
下部ユニット２ｂは、金庫１５と、搬送モジュール１６と、紙幣収納部１７ａ〜１７ｈと、一時保留部１８と、ＲＪ（ＲＪ：リジェクト）紙幣収納部１９と、を有している。
【００２９】
金庫１５は、搬送モジュール１６と、紙幣収納部１７ａ〜１７ｈと、一時保留部１８と、ＲＪ紙幣収納部１９と、を収容している。金庫１５は、前面に開閉扉７ａと、施錠部７ｂと、を有している。開閉扉７ａは、金庫１５内部にアクセスするための扉である。
【００３０】
搬送モジュール１６は、金庫１５に対し、着脱可能となっている。搬送モジュール１６は、搬送部１２と、紙幣収納部１７ａ〜１７ｈと、一時保留部１８と、ＲＪ紙幣収納部１９とを結ぶ搬送路を有している。
【００３１】
図３は、＋ｙ軸方向から見た搬送モジュール１６の概略断面図である。図３に示すように、搬送モジュール１６は、搬送部（搬送路）２１〜２３を有している。
【００３２】
搬送モジュール１６が金庫１５に装着された状態（例えば図２に示す状態）では、図３に示す搬送部２１は、図２の搬送部１２と接続された搬送部と接続される。また、図３に示す搬送部２２は、図２の一時保留部１８およびＲＪ紙幣収納部１９と接続された搬送部と接続される。また、図３に示す搬送部２３は、図２の紙幣収納部１７ａ〜１７ｈと接続された搬送部と接続される。
【００３３】
搬送モジュール１６は、紙幣の搬送経路を切替える複数の分岐部を有している。搬送モジュール１６は、制御部１１による分岐部の制御に応じて、紙幣の搬送先を切替える。
【００３４】
例えば、搬送モジュール１６は、図２の搬送部１２から搬送された紙幣を搬送部２３に搬送して、図２の紙幣収納部１７ａ〜１７ｈに搬送したり、図２の紙幣収納部１７ａ〜１７ｈから繰出された紙幣を搬送部２１に搬送して、図２の搬送部１２に搬送したりする。
【００３５】
また、搬送モジュール１６は、紙幣収納部１７ａ〜１７ｈから繰出された紙幣を搬送部２１に搬送して、搬送部１２に搬送したり、紙幣収納部１７ａ〜１７ｈから繰出された紙幣を搬送部２２に搬送して、一時保留部１８またはＲＪ紙幣収納部１９に搬送したりする。また、搬送モジュール１６は、一時保留部１８から繰出された紙幣を搬送部２３に搬送して、紙幣収納部１７ａ〜１７ｈに搬送したりする。
【００３６】
搬送モジュール１６は、検知部１６ａを有している。検知部１６ａは、搬送部２２上に設けられている。検知部１６ａは、搬送部２２を搬送される紙幣の少なくとも枚数を検知する。検知部１６ａは、例えば、搬送される紙幣により遮光されることで紙幣の有無を検知する、簡易な光学センサとしてもよい。また、検知部１６ａは、連なって搬送される紙幣を検知するために、紙幣の長さを検知するものとしてもよい。また、検知部１６ａは、重なって搬送される紙幣を検知するために、紙幣の厚みを検知するものとしてもよい。これらにより、検知部１６ａは、紙幣の枚数をより正確に検知することができる。
【００３７】
なお、搬送モジュール１６は、図２に示した紙幣収納部１７ａ〜１７ｈと入れ替えることができる。例えば、搬送モジュール１６は、図２に示した紙幣収納部１７ｅ，１７ｆの位置に装着されることができる。この場合、図２の紙幣収納部１７ｇ，１７ｈの位置には、一時保留部１８およびＲＪ紙幣収納部１９を配置する。なお、紙幣収納部１７ｅ，１７ｆおよびこれらの収納部の間の搬送部は、一体化されて取り外し自在とされたモジュール構造とされることが好ましい。これにより、搬送モジュール１６と紙幣収納部１７ｅ，１７ｆの入れ替えが容易になる。
【００３８】
また、搬送部１２を搬送される紙幣は、搬送モジュール１６を介して、紙幣収納部１７ａ〜１７ｈに搬送される。これにより、金庫１５は、搬送部１２と搬送モジュール１６とを結ぶ搬送部の開口を有していればよく、紙幣処理装置１は、セキュリティを高めることができる。例えば、図２の例の場合、金庫１５は、搬送部１２と搬送モジュール１６とを結ぶ搬送部のための開口を１つ有している。これにより、紙幣処理装置１は、セキュリティを高めることができる。
【００３９】
図２の説明に戻る。紙幣収納部１７ａ〜１７ｈは、入金部３に入金された紙幣を収納する。紙幣収納部１７ａ〜１７ｈは、例えば、紙幣を巻き取るドラムを有した巻取式の収納部である。
【００４０】
一時保留部１８は、精査処理の際、紙幣を一時保留する。例えば、一時保留部１８は、精査処理を行う紙幣収納部１７ａ〜１７ｈのいずれかから搬送される紙幣を一時保留する。一時保留部１８に一時保留された紙幣は、精査処理後、元の紙幣収納部１７ａ〜１７ｈに搬送され、収納される。一時保留部１８は、例えば、紙幣を巻き取るドラムを有した巻取式の保留部である。以下の説明では、精査処理の際、精査処理を行う紙幣収納部１７ａ〜１７ｈのいずれかから一時保留部１８へ紙幣を搬送することを一次搬送といい、一時保留部１８から元の紙幣収納部１７ａ〜１７ｈに紙幣を戻すことを二次搬送ということがある。
【００４１】
ＲＪ紙幣収納部１９は、精査処理時に発生したリジェクト紙幣を収納する。ＲＪ紙幣収納部１９は、例えば、紙幣を巻き取るドラムを有した巻取式の保留部である。
【００４２】
紙幣収納部１７ａ〜１７ｈに収納されている紙幣は、精査処理の際、検知部１６ａによって精査されて（例えば、枚数が計数されて）、一時保留部１８またはＲＪ紙幣収納部１９に収納される。従って、一時保留部１８およびＲＪ紙幣収納部１９は、検知部１６ａに対し、搬送方向下流（精査処理時の一次搬送方向下流）に配置される。また、紙幣収納部１７ａ〜１７ｈは、検知部１６ａに対し、搬送方向上流（精査処理時の一次搬送方向上流）に配置される。
【００４３】
搬送モジュール１６、紙幣収納部１７ａ〜１７ｈ、一時保留部１８、およびＲＪ紙幣収納部１９は、例えば、金庫１５内の底面に設けられているレール（図示せず）の上に、金庫１５の前面および背面方向（ｘ軸方向）に可動するよう設置されている。これにより、ユーザは、施錠部７ｂを解除して開閉扉７ａを開け、搬送モジュール１６、紙幣収納部１７ａ〜１７ｈ、一時保留部１８、およびＲＪ紙幣収納部１９を、金庫１５の外に引き出すことができる。
【００４４】
紙幣処理装置１の管理権限について説明する。上部ユニット２ａ内にある紙幣と、下部ユニット２ｂの金庫１５内にある紙幣は、所有者が異なる場合がある。例えば、上部ユニット２ａ内にある紙幣は、紙幣処理装置１が設置された店舗等の所有であり、金庫１５内の紙幣収納部１７ａ〜１７ｈに収納された紙幣は、紙幣回収業者の所有である場合がある。
【００４５】
また、上部ユニット２ａ内にある紙幣と、下部ユニット２ｂの金庫１５内にある紙幣は、所有者が同じであっても、取り扱いに関する権限が異なる場合がある。例えば、紙幣処理装置１の内部で、不具合により紙幣が滞留した場合は、上部ユニット２ａ内で滞留した紙幣は、一般の係員であっても排除することができるが、金庫１５内で滞留した紙幣は、より上位の管理者のみが排除できる運用とする場合がある。従って、上部ユニット２ａと下部ユニット２ｂの金庫１５とで、管理権限が分けられるのが望ましい。
【００４６】
これに対し、紙幣処理装置１の上部ユニット２ａは、施錠部６を有する。下部ユニット２ｂ（金庫１５）は、施錠部７ｂを有する。これにより、上部ユニット２ａと、下部ユニット２ｂの金庫１５との管理権限を、別々にすることができる。
【００４７】
精査処理について説明する。制御部１１は、紙幣収納部１７ａ〜１７ｈの在高を再確認する必要が生じた場合に、精査処理を実行する。制御部１１は、例えば、紙幣収納部１７ａ〜１７ｈが金庫１５から取り外されたり、紙幣収納部１７ａ〜１７ｈが有する開閉扉（図示せず）が開けられた場合に、紙幣収納部１７ａ〜１７ｈから紙幣が抜き取られたり、紙幣収納部１７ａ〜１７ｈに紙幣が投入された可能性があるので、紙幣収納部１７ａ〜１７ｈの在高を再確認する必要があると判断する。また、制御部１１は、例えば、紙幣の紙幣収納部１７ａ〜１７ｈへの搬送中または紙幣の紙幣収納部１７ａ〜１７ｈからの繰出中に異常が発生した場合、搬送されたり繰り出しされた紙幣の枚数を確定できていない可能性があるので、紙幣収納部１７ａ〜１７ｈの在高を再確認する必要があると判断する。
【００４８】
図４は、制御部１１の精査処理の一次搬送を説明する図である。図４には、図２に示した金庫１５が示してある。図４において、図２と同じものには同じ符号が付してある。以下では、紙幣収納部１７ｄに収納されている紙幣の精査処理例について説明する。
【００４９】
制御部１１は、図４の矢印Ａ１に示すように、紙幣収納部１７ｄに収納されている紙幣を１枚ずつ繰出し、検知部１６ａを通過させ、一時保留部１８に搬送する一次搬送を行う。その際、制御部１１は、検知部１６ａを制御し、検知部１６ａを通過する紙幣の枚数を計数させる。これにより、制御部１１は、紙幣収納部１７ｄに何枚の紙幣が収納されていたかの簡易的な精査処理を行うことができる。
【００５０】
一方、制御部１１は、検知部１６ａによってリジェクト紙幣と判定された紙幣を、点線矢印Ａ２に示すように、ＲＪ紙幣収納部１９に搬送する。なお、検知部１６ａは、枚数を確定できなかった紙幣をリジェクト紙幣と判定する。例えば、制御部１１は、紙幣が複数枚連なって搬送されたり、紙幣が複数枚重なって搬送されたりした場合、これらの紙幣をリジェクト紙幣と判定する。また、検知部１６ａが、紙幣の金種や真偽を検知できる場合は、制御部１１は、特定の金種以外の紙幣や真正でないと思われる紙幣をリジェクト紙幣と判定してもよい。
【００５１】
図５は、制御部１１の精査処理の二次搬送を説明する図である。図５において、図４と同じものには同じ符号が付してある。
【００５２】
図４で説明したように、制御部１１は、紙幣収納部１７ｄに収納された紙幣を、検知部１６ａで検知させ、一時保留部１８に一時保留する一次搬送を行う。制御部１１は、一時保留部１８に一時保留した紙幣を、紙幣収納部１７ｄに収納する。すなわち、制御部１１は、精査処理のために一時保留部１８に保留した紙幣を、元の紙幣収納部１７ｄに戻す二次搬送を行う。
【００５３】
例えば、制御部１１は、図５の矢印Ａ１１に示すように、一時保留部１８に一時保留した紙幣を、紙幣収納部１７ｄに収納する。このようにして、制御部１１は、一連の精査処理を終了する。
【００５４】
図４および図５では、紙幣収納部１７ｄの精査処理例について説明したが、他の紙幣収納部１７ａ〜１７ｃ，１７ｅ〜１７ｈについても同様である。
【００５５】
なお、ＲＪ紙幣収納部１９に収納したリジェクト紙幣は、出金処理に用いない紙幣として、ＲＪ紙幣収納部１９に収納したままとする。
【００５６】
以上説明したように、紙幣処理装置１の紙幣収納部１７ａ〜１７ｈは、入金部３から入金された紙幣を収納する。識別部１３は、搬送部１２に設けられ、搬送される紙幣を識別する。一時保留部１８は、紙幣を一時的に保留するために使用される。検知部１６ａは、紙幣収納部１７ａ〜１７ｈと一時保留部１８とを結ぶ搬送部に設けられ、搬送される紙幣の少なくとも枚数を検知する。金庫１５は、紙幣収納部１７ａ〜１７ｈと、一時保留部１８と、紙幣収納部１７ａ〜１７ｈおよび一時保留部１８を結ぶ搬送部と、検知部１６ａとを、入金部３および識別部１３と隔離するように収容する。制御部１１は、金庫１５内において、紙幣収納部１７ａ〜１７ｈに収納された紙幣を、紙幣収納部１７ａ〜１７ｈと一時保留部１８とを結ぶ搬送部に搬送させて検知部１６ａで検知させ、一旦、一時保留部１８に保留した後、再度、紙幣収納部１７ａ〜１７ｈに収納する精査処理を実行する。
【００５７】
これにより、制御部１１は、１つの管理権限内（金庫１５内）で、精査処理を実行するので、適切な管理状態で、紙幣の精査処理を実行できる。
【００５８】
なお、一時保留部１８は、紙幣収納部として兼用されてもよい。すなわち、一時保留部１８は、少なくとも紙幣を一時的に保留するために使用されるものであってもよい。上記したように、精査処理の際に一時保留された紙幣は、元の紙幣収納部に戻されるため、制御部１１は、一時保留部１８を紙幣収納部として用い、精査処理の際に、既に紙幣が収納されていても、精査処理を実行できる。
【００５９】
また、一時保留部１８を紙幣収納部として兼用する場合、精査処理時に一時保留する紙幣が、一時保留部１８に収納しきれない（一杯になる）場合がある。例えば、一時保留部１８は、紙幣収納部として用いられ、既に多くの紙幣が収納されていると、精査処理時に一時保留する紙幣を、収納しきれない場合がある。このような場合、制御部１１は、他の紙幣収納部１７ａ〜１７ｈを、一時保留部として利用する。例えば、制御部１１は、一時保留部１８が紙幣で一杯になった場合、紙幣収納部１７ａ〜１７ｈのいずれかを一時保留部として、紙幣を保留させる。
【００６０】
また、制御部１１は、ＲＪ紙幣収納部１９に収納した紙幣を、出金部４ａ，４ｂに搬送してもよい。そして、制御部１１は、例えば、表示装置（図示せず）の表示によって、ユーザに、出金部４ａ，４ｂに搬送した紙幣を、入金部３に再投入させるようにしてもよい。
【００６１】
また、制御部１１は、ＲＪ紙幣収納部１９に収納した紙幣を、再度、検知部１６ａで検知して、リジェクト紙幣ではないと判定された紙幣を元の紙幣収納部１７ａ〜１７ｈに戻し、なおもリジェクト紙幣であると判定された紙幣を、例えば、出金部４ａ，４ｂに搬送してもよい。
【００６２】
また、検知部１６ａは、画像センサを有し、紙幣の記番号を読み取ってもよい。そして、制御部１１は、紙幣の記番号に基づいて、部分精査を行ってもよい。部分精査は、紙幣収納部１７ａ〜１７ｈに収納した紙幣の記番号と収納順序を関連付けた収納情報を利用する精査である。例えば、紙幣収納部１７ａ〜１７ｈから一部の紙幣を繰り出し、記番号を読み取る。収納情報に、読み取った順序通りの記番号の並びがあれば、紙幣収納部１７ａ〜１７ｈには、収納情報通りの紙幣が収納されていると判断し、精査を完了する。このように部分精査を行うことにより、一時保留部１８の収納量を小さくできる。
【００６３】
また、ＲＪ紙幣収納部１９は、検知部１６ａに対し、搬送方向下流（精査処理時の一次搬送方向下流）に配置するとしたが、これに限られない。例えば、ＲＪ紙幣収納部１９は、図２に示した紙幣収納部１７ａ〜１７ｈのいずれかの位置に配置されてもよい。この場合、リジェクト紙幣は、一旦、一時保留部１８に一時保留される。その後、紙幣収納部１７ａ〜１７ｈのいずれかの位置に配置されたＲＪ紙幣収納部に収納される。
【００６４】
また、一時保留部１８の収納量は、精査の対象となる紙幣収納部１７ａ〜１７ｈの収納量と同じか、それより大きいのが望ましい。
【００６５】
また、一時保留部１８は、入金処理時の一時保留部として利用されてもよい。
【００６６】
また、検知部１６ａは、搬送モジュール１６の外にあってもよい。また、検知部１６ａは、紙幣の枚数に加えて、紙幣の金種や真偽などを検知する機能を有しいてもよい。また、検知部１６ａは、識別部１３相当の機能を有していてもよい。
【００６７】
また、紙幣収納部１７ａ〜１７ｈ、一時保留部１８、およびＲＪ紙幣収納部１９は、巻取式の収納部としたが、これに限られない。紙幣収納部１７ａ〜１７ｈは、スタック式の収納部であってもよい。
【００６８】
図６は、紙幣処理装置１を＋ｙ軸方向から見た別の概略断面図である。図６において、図２と同じものには同じ符号が付してある。図６に示すように、紙幣処理装置１は、検知部３１と、紙幣収納部３２ａ〜３２ｄと、一時保留部３３と、ＲＪ紙幣収納部３４と、を有している。
【００６９】
紙幣収納部３２ａ〜３２ｄ、一時保留部３３、およびＲＪ紙幣収納部３４は、スタック式の収納部である。紙幣収納部３２ａ〜３２ｄ、一時保留部３３、およびＲＪ紙幣収納部３４は、紙幣を印刷面に垂直な方向に積み重ねて収納する。
【００７０】
検知部３１、紙幣収納部３２ａ〜３２ｄ、一時保留部３３、およびＲＪ紙幣収納部３４は、金庫１５内に配置されている。また、紙幣収納部３２ａ〜３２ｄ、一時保留部３３、およびＲＪ紙幣収納部３４を結ぶ搬送部は、金庫１５内に配置されている。検知部３１は、一時保留部３３と、紙幣収納部３２ａ〜３２ｄとの間の搬送部上に配置されている。
【００７１】
制御部１１は、図２に示した紙幣処理装置１と同様に、金庫１５内において、紙幣収納部３２ａ〜３２ｄに収納された紙幣を、検知部３１で検知させ、一旦、一時保留部３３に保留した後、再度、紙幣収納部３２ａ〜３２ｄに収納する精査処理を実行する。
【００７２】
このように、制御部１１は、スタック式の収納部であっても、適切な管理状態で、紙幣の精査処理を実行できる。
【００７３】
［第２の実施の形態］
第１の実施の形態では、少なくとも紙幣の枚数を計数する検知部１６ａを用いて、金庫１５内で精査処理を行った。第２の実施の形態では、検知部１６ａを用いた精査処理の結果が、所定の条件を満たした場合、金庫１５外の識別部１３を用いて精査処理を行う。例えば、検知部１６ａを用いた精査処理において、リジェクト紙幣が発生した場合、検知部１６ａより高機能な識別部１３を用いて精査処理を行う。以下では、検知部１６ａを用いた精査処理を簡易精査処理と呼ぶことがある。また、識別部１３を用いた精査処理を詳細精査処理と呼ぶことがある。
【００７４】
図７は、第２の実施の形態に係る紙幣処理装置１の詳細精査処理の一次搬送を説明する図である。図７に示す紙幣処理装置１は、図２に示した紙幣処理装置１と同様の構成を有している。図７に示す紙幣処理装置１は、精査処理の動作が、図２に示した紙幣処理装置１と異なる。
【００７５】
まず、制御部１１は、図４および図５で説明したように、検知部１６ａを用いた簡易精査処理を行う。制御部１１は、この簡易精査処理において、リジェクト紙幣が発生した場合、金庫１５外に配置されている識別部１３を用いて詳細精査処理を行う。
【００７６】
例えば、制御部１１は、図７の矢印Ａ２１に示すように、紙幣収納部１７ｄに収納されている紙幣を繰出し、識別部１３を通過させ、一時保留部１４に搬送する一次搬送を行う。その際、制御部１１は、識別部１３を制御し、紙幣の識別処理をさせる。
【００７７】
識別部１３は、検知部１６ａより多くのセンサを有しており、検知部１６ａより高精度な精査処理を行う。例えば、識別部１３は、通過する紙幣の計数に加え、紙幣収納部１７ｄの紙幣の記番号を識別したり、記番号の順番を確認したり詳細な精査処理を行う。
【００７８】
なお、制御部１１は、識別部１３によってリジェクト紙幣と判定された紙幣については、点線矢印Ａ２２に示すように、出金部４ａ（または出金部４ｂ）に搬送する。そして、制御部１１は、例えば、表示装置（図示せず）の表示によって、ユーザに、出金部４ａに搬送したリジェクト紙幣を、入金部３に投入させる。
【００７９】
図８は、詳細精査処理の二次搬送を説明する図である。図８において、図７と同じものには同じ符号が付してある。
【００８０】
図７で説明したように、制御部１１は、紙幣収納部１７ｄに収納された紙幣を、識別部１３で識別させ、一時保留部１４に一時保留する。制御部１１は、一時保留部１４に一時保留した紙幣を、紙幣収納部１７ｄに戻す二次搬送を行う。例えば、制御部１１は、図８の矢印Ａ３１に示すように、一時保留部１４に一時保留した紙幣を、紙幣収納部１７ｄに戻す。このようにして、制御部１１は、一連の詳細精査処理を終了する。
【００８１】
図９は、制御部１１の精査処理動作例を示したフローチャートである。制御部１１は、紙幣収納部１７ａ〜１７ｈのいずれかの在高を再確認する必要が生じた場合、図９に示すフローチャートの処理を実行する。
【００８２】
まず、制御部１１は、金庫１５内に設けられた検知部１６ａを用いた簡易精査処理を行う（ステップＳ１）。例えば、制御部１１は、図４および図５で説明した精査処理を行う。なお、制御部１１は、ステップＳ１の簡易精査処理においてリジェクト紙幣が発生した場合、リジェクト紙幣も紙幣収納部１７ａ〜１７ｈに戻す。
【００８３】
次に、制御部１１は、ステップＳ１の簡易精査処理において、リジェクト紙幣が発生したか否か判定する（ステップＳ２）。制御部１１は、ステップＳ１の簡易精査処理において、リジェクト紙幣が発生しなかったと判定した場合（Ｓ２の「Ｎｏ」）、当該フローチャートの処理を終了する。
【００８４】
一方、制御部１１は、ステップＳ１の簡易精査処理において、リジェクト紙幣が発生したと判定した場合（Ｓ２の「Ｙｅｓ」）、詳細精査処理を行う（ステップＳ３）。例えば、制御部１１は、図７および図８で説明した精査処理を行う。
【００８５】
なお、ステップＳ１で説明したように、制御部１１は、ステップＳ１の簡易精査処理においてリジェクト紙幣が発生した場合、リジェクト紙幣を紙幣収納部１７ａ〜１７ｈに戻す。従って、簡易精査処理で発生したリジェクト紙幣は、ステップＳ３の詳細精査処理で再度精査処理が行われる。
【００８６】
以上説明したように、紙幣処理装置１の制御部１１は、簡易精査処理の結果が所定条件を満たした場合、紙幣収納部１７ａ〜１７ｈに収納されている紙幣を、識別部１３で識別させ、再度、紙幣収納部１７ａ〜１７ｈに収納する詳細精査処理を実行する。これにより、紙幣処理装置１は、精度の高い精査処理を行うことができる。
【００８７】
なお、上記では、制御部１１は、簡易処理結果が所定の条件を満たしたとき、詳細精査処理を行ったがこれに限られない。例えば、制御部１１は、ユーザの設定に応じて、簡易精査処理および詳細精査処理の少なくとも１つを選択、実行できるようにしてもよい。
【００８８】
また、制御部１１は、ステップＳ１の簡易精査処理においてリジェクト紙幣が発生した場合、リジェクト紙幣を紙幣収納部１７ａ〜１７ｈに戻したが、紙幣収納部１７ａ〜１７ｈに収納されたリジェクト紙幣についてのみ、詳細精査処理を行ってもよい。制御部１１は、図７の矢印Ａ２３に示すように、ＲＪ紙幣収納部１９に収納されているリジェクト紙幣を繰出し、識別部１３を通過させ、一時保留部１４に搬送する一次搬送を行う。ＲＪ紙幣収納部１９に収納されているリジェクト紙幣についてのみ詳細精査処理を行うので、精査に要する時間を短くできる。その他の処理は、上記の第２の実施の形態と同じである。
【００８９】
［第３の実施の形態］
第１の実施の形態では、精査処理時のリジェクト紙幣は、ＲＪ紙幣収納部１９に収納した。第３の実施の形態では、紙幣処理装置１は、紙幣の回収ボックスを備え、精査処理時のリジェクト紙幣を回収ボックスに収納する。
【００９０】
図１０は、第３の実施の形態に係る紙幣処理装置１を＋ｙ軸方向から見た概略断面図である。図１０において、図２と同じものには同じ符号が付してある。
【００９１】
図１０に示すように、紙幣処理装置１は、回収ボックス４１を有している。回収ボックス４１は、金庫１５に収容されている。なお、図１０では、図２に示したＲＪ紙幣収納部１９は、入金処理時の紙幣を収納する紙幣収納部４２に入れ替わっている。
【００９２】
回収ボックス４１は、搬送モジュール１６と接続されている。回収ボックス４１は、搬送モジュール１６から搬送される紙幣を収納する。回収ボックス４１は、例えば、繰出機能を有さない、収納専用庫であり、偽券等を収納する。
【００９３】
制御部１１は、第１の実施の形態と同様の精査処理を行う。ただし、制御部１１は、精査処理時に発生したリジェクト紙幣を、回収ボックス４１に収納する。例えば、制御部１１は、ＲＪ紙幣収納部１９に収納されているリジェクト紙幣を回収ボックス４１に搬送するよう、搬送モジュール１６を制御する。リジェクト紙幣を回収ボックス４１に搬送するタイミングは、一時保留部１８に一時保留されている紙幣を紙幣収納部１７ａ〜１７ｈに戻す二次搬送の前でも後でもよい。
【００９４】
以上説明したように、紙幣処理装置１の制御部１１は、精査処理時に発生したリジェクト紙幣を、金庫１５内の回収ボックス４１に搬送させる。これにより、紙幣処理装置１は、適切な管理状態で、紙幣の精査処理を実行することができる。
【００９５】
なお、上記では、回収ボックス４１は、金庫１５内に収容されるとしたが、金庫１５とは別の金庫に収容してもよい。
【００９６】
また、精査処理の一次搬送において、リジェクト紙幣を直接、回収ボックス４１に搬送してもよい。検知部１６ａと一時保留部１８の間に、回収ボックス４１に接続される搬送路を設けることで、リジェクト紙幣を直接、回収ボックス４１に搬送できる。また、検知部１６ａを、図３における搬送モジュール１６の搬送部２３の分岐部より右側（一次搬送の上流側）に配置することで、リジェクト紙幣を直接、回収ボックス４１に搬送できる。
【００９７】
また、ＲＪ紙幣収納部１９に収納されているリジェクト紙幣を回収ボックス４１に搬送する際に、再度、検知部１６ａによる検知を行い、リジェクト紙幣ではないと判定できた紙幣を元の紙幣収納部１７ａ〜１７ｈに戻してもよい。
【符号の説明】
【００９８】
１  紙幣処理装置
２ａ，２ｂ  ユニット
３  入金部
４ａ，４ｂ  出金部
５  上カバー
６  施錠部
７ａ  開閉扉
７ｂ  施錠部
１１  制御部
１２  搬送部
１３  識別部
１４  一時保留部
１５  金庫
１６  搬送モジュール
１６ａ  検知部
１７ａ〜１７ｈ  紙幣収納部
１８  一時保留部
１９  ＲＪ紙幣収納部
【図１】
2018156121.tif 000003
【図２】
2018156121.tif 000004
【図３】
2018156121.tif 000005
【図４】
2018156121.tif 000006
【図５】
2018156121.tif 000007
【図６】
2018156121.tif 000008
【図７】
2018156121.tif 000009
【図８】
2018156121.tif 000010
【図９】
2018156121.tif 000011
【図１０】
2018156121.tif 000012